(57)【要約】【課題】樹脂により形成された電気的絶縁性を有する筐体に対して付属装置の配置の自由度を向上させることができ、筐体の表面上に付属装置を取り付ける際の利便性を向上させることができる電子機器を提供する。【解決手段】プロジェクタ１は、樹脂により形成された電気的絶縁性を有する筐体２を備え、筐体２の外部にリモコン信号受光装置３が設けられる。筐体２は、電子部品を収納するための内部空間と、リモコン信号受光装置３が設けられる外部空間Ｓ２とを区切り、筐体２の内部空間には、リモコン信号受光装置３に磁気的な引力を作用させるための強磁性体からなる強磁性体部材が設けられている。そして、内部空間に設けられた強磁性体部材により、外部空間Ｓ２におけるリモコン信号受光装置３が筐体２に向けて引き寄せられ、筐体２の表面上にリモコン信号受光装置３が設けられる。【選択図】図６
2011096938.tif 000002
【特許請求の範囲】
【請求項１】
樹脂により形成された電気的絶縁性を有する筐体を備え、この筐体の外部に付属装置が設けられる電子機器であって、
前記筐体は、電子部品を収納するための内部空間と、前記付属装置が設けられる外部空間とを区切り、
前記筐体の内部空間には、前記付属装置に磁気的な引力を作用させるための強磁性体からなる強磁性体部材が設けられており、
前記内部空間に設けられた前記強磁性体部材により、前記外部空間における前記付属装置が前記筐体に向けて引き寄せられ、前記筐体の表面上に前記付属装置が設けられる
ことを特徴とする電子機器。
【請求項２】
前記筐体の内部空間において、前記強磁性体部材の全体が前記筐体により覆われていることを特徴とする請求項１に記載の電子機器。
【請求項３】
前記強磁性体部材の全体が、前記内部空間において前記筐体により覆われることによって、前記内部空間に設けられた前記強磁性体部材が、前記筐体の外部空間から見て露出せずに設けられていることを特徴とする請求項２に記載の電子機器。
【請求項４】
前記筐体の内部空間に収納された電子部品を備え、
前記電子部品と前記筐体との間の空間を区切るように前記強磁性体部材が設けられていることを特徴とする請求項１乃至請求項３のいずれか一項に記載の電子機器。
【請求項５】
前記内部空間において前記電子部品が前記強磁性体部材に収納されることによって、前記電子部品と前記筐体との間の空間が区切られていることを特徴とする請求項４に記載の電子機器。
【請求項６】
前記筐体の内部空間に収納された電源部を備え、
前記電源部と前記筐体との間の空間を区切るように前記強磁性体部材が設けられていることを特徴とする請求項１乃至請求項５のいずれか一項に記載の電子機器。
【請求項７】
前記内部空間において前記電源部が前記強磁性体部材に収納されることによって、前記電源部と前記筐体との間の空間が区切られていることを特徴とする請求項６に記載の電子機器。
【請求項８】
前記電子部品が設けられている配線板が、前記強磁性体部材により支持されていることを特徴とする請求項１乃至請求項７のいずれか一項に記載の電子機器。
【請求項９】
前記筐体の外部に設けられる前記付属装置は、前記筐体の前記内部空間に設けられた前記強磁性体部材に対して前記磁気的な引力を発生させるための磁石を備えていることを特徴とする請求項１乃至請求項８のいずれか一項に記載の電子機器。
【請求項１０】
前記付属装置は前記磁石として永久磁石を備えていることを特徴とする請求項９に記載の電子機器。
【請求項１１】
前記付属装置は、該付属装置の内部空間と外部空間とを区切る筐体を備え、
前記永久磁石は、前記付属装置の外部空間において該付属装置の筐体に設けられていることを特徴とする請求項１０に記載の電子機器。
【請求項１２】
前記付属装置は、該付属装置の内部空間と外部空間とを区切る筐体を備え、
前記永久磁石は、前記付属装置の内部空間に設けられていることを特徴とする請求項１０に記載の電子機器。
【請求項１３】
前記付属装置の筐体は、非磁気遮蔽材料からなることを特徴とする請求項１２に記載の電子機器。
【発明の詳細な説明】
【技術分野】
【０００１】
本願発明は、樹脂により形成された電気的絶縁性を有する筐体を備え、この筐体の外部に付属装置が設けられる電子機器に関するものである。
【背景技術】
【０００２】
映像表示装置等の電子機器は、電子部品等を収納する筐体を備えており、このような筐体としては、樹脂により形成された電気的絶縁性を有する筐体が一般的に知られている。例えば、何らかの理由で機器内部への浸水等の不慮の事態が生じ、絶縁が一時的あるいは部分的に不完全となった場合においても、筐体が電気的絶縁性を有していれば、筐体が電気的伝導性を有する場合に比べて、電子機器の操作者が感電する可能性を低減できる等の効果が得られる。
【０００３】
ところで、例えば、遠隔操作機器から赤外線として送信されたリモコン信号を受光するリモコン信号受光装置を、付属装置（オプションユニット）として筐体の外部に設けることが知られている（例えば、特許文献１参照）。
【０００４】
特許文献１には、リモコン信号を受信する部分としてフォトダイオード等からなるリモコン受光部を備えた表示装置が記載されており、リモコン受光部は、筐体の外部に設けられるレンズカバーに設けられている。従って、特許文献１に記載されるレンズカバーは上述のリモコン信号受光装置として機能し、筐体に対してレンズカバーが設けられる箇所を変更することにより、リモコン信号を受光可能なリモコン受光部の方向を変化させることができる。
【先行技術文献】
【特許文献】
【０００５】
【特許文献１】特開２００８−２５６９４５号公報
【発明の概要】
【発明が解決しようとする課題】
【０００６】
しかしながら、特許文献１に記載されるレンズカバーは、筐体に対して設けることができる箇所が限られてしまう。即ち、特許文献１に記載されるリモコン受光部付きレンズカバーは、表示装置の本体側のコネクターとレンズカバーのコネクターとが構造的・電気的に連結する箇所のみに設けられる。このため、筐体に対して付属装置の配置の自由度が低いという問題がある。
【０００７】
付属装置の配置の自由度を向上させるために、電子機器本体のコネクターと付属装置のコネクターとを直接接続せずに、ケーブルを介して電子機器本体と付属装置とを接続することが考えられる。しかし、筐体の表面上に付属装置を設けるためには、その表面上に付属装置を取り付けるための手段が必要となり、例えば、付属装置を支持する突起等の支持構造を筐体に設けた場合には、その支持構造と付属装置とを係合させる必要があるため、筐体の表面上に付属装置を取り付ける際の利便性が優れないという問題がある。
【０００８】
本発明は、こうした実情に鑑みてなされたものであり、その目的は、樹脂により形成された電気的絶縁性を有する筐体に対して付属装置の配置の自由度を向上させることができ、筐体の表面上に付属装置を取り付ける際の利便性を向上させることができる電子機器を提供することにある。
【課題を解決するための手段】
【０００９】
請求項１に記載の発明は、樹脂により形成された電気的絶縁性を有する筐体を備え、この筐体の外部に付属装置が設けられる電子機器であって、筐体は、電子部品を収納するための内部空間と、付属装置が設けられる外部空間とを区切り、筐体の内部空間には、例えば永久磁石等の直流磁界の発生源を備えた付属装置に、磁気的な引力を作用させるための強磁性体からなる強磁性体部材が設けられ、上記内部空間に設けられた強磁性体部材により、外部空間における付属装置が筐体に向けて引き寄せられ、筐体の表面上に付属装置が設けられることを特徴とする。
【００１０】
上記構成によれば、筐体の内部空間には、例えば永久磁石等の直流磁界の発生源を備えた付属装置に、磁気的な引力を作用させるための強磁性体からなる強磁性体部材が設けられており、筐体の内部空間に設けられた強磁性体部材により、外部空間における付属装置が筐体に向けて引き寄せられ、筐体の表面上に付属装置が設けられる。即ち、電子機器が備える筐体内の強磁性体部材と、例えば永久磁石等の直流磁界の発生源を備えた付属装置との間に磁気的な引力が作用して、筐体の表面上に付属装置が取り付けられる。このため、上記強磁性体部材により付属装置を筐体に向けて引き寄せる磁力が作用するのであれば、筐体の所望の位置に付属装置を設けることができる。従って、樹脂により形成された電気的絶縁性を有する筐体に対して付属装置の配置の自由度を向上させることができる。また、上述のごとく、筐体の内部空間に設けられた強磁性体部材により、外部空間における永久磁石等を備えた付属装置が筐体に向けて引き寄せられ、筐体の表面上に付属装置が設けられる。このため、筐体の表面上に付属装置を取り付けるための手段として、付属装置を支持する突起等の支持構造を設ける必要がなく、筐体の表面上に付属装置を容易に取り付けることができる。従って、筐体の表面上に付属装置を取り付ける際の利便性を向上させることができる。
【００１１】
請求項２に記載の発明は、請求項１に記載の電子機器であって、筐体の内部空間において、強磁性体部材の全体が筐体により覆われていることを特徴とする。
上記構成によれば、強磁性体部材の全体が電子機器の筐体により覆われているため、強磁性体部材の一部が電子機器の筐体によって覆われていない場合に比べて、電子機器の操作者が感電することを抑制することができる。
【００１２】
請求項３に記載の発明は、請求項２に記載の電子機器であって、強磁性体部材の全体が、上記内部空間において筐体により覆われることによって、内部空間に設けられた強磁性体部材が、筐体の外部空間から見て露出せずに設けられていることを特徴とする。
【００１３】
上記構成によれば、強磁性体部材の全体が、筐体の内部空間において筐体により覆われることによって、内部空間に設けられた強磁性体部材が、筐体の外部空間に向けて露出せずに設けられている。即ち、筐体の外部から強磁性体部材を視認することができないように強磁性体部材が設けられている。このため、電子機器の操作者が感電することを確実に抑制することができる。
【００１４】
請求項４に記載の発明は、請求項１乃至請求項３のいずれか一項に記載の電子機器であって、筐体の内部空間に収納された電子部品を備え、電子部品と筐体との間の空間を区切るように強磁性体部材が設けられていることを特徴とする。
【００１５】
上記構成によれば、電子部品と電子機器の筐体との間の空間を区切るように強磁性体部材が設けられているため、強磁性体部材によって、電子機器の電磁的な不干渉性及び耐性を向上させることができる。
【００１６】
請求項５に記載の発明は、請求項４に記載の電子機器であって、上記内部空間において電子部品が強磁性体部材に収納されることによって、電子部品と筐体との間の空間が区切られていることを特徴とする。
【００１７】
上記構成によれば、筐体の内部空間において電子部品が強磁性体部材に収納されることによって、電子部品と筐体との間の空間が区切られているため、強磁性体部材によって、電子機器の電磁的な不干渉性及び耐性を確実に向上させることができる。
【００１８】
請求項６に記載の発明は、請求項１乃至請求項５のいずれか一項に記載の電子機器であって、筐体の内部空間に収納された電源部を備え、電源部と筐体との間の空間を区切るように強磁性体部材が設けられていることを特徴とする。
【００１９】
上記構成によれば、電源部と電子機器の筐体との間の空間を区切るように強磁性体部材が設けられているため、強磁性体部材によって、電源部についての防火対策の信頼性を向上させることができる。
【００２０】
請求項７に記載の発明は、請求項６に記載の電子機器であって、上記内部空間において電源部が強磁性体部材に収納されることによって、電源部と筐体との間の空間が区切られていることを特徴とする。
【００２１】
上記構成によれば、筐体の内部空間において電源部が強磁性体部材に収納されることによって、電源部と筐体との間の空間が区切られているため、強磁性体部材によって、電源部についての防火対策の信頼性をより向上させることができる。
【００２２】
請求項８に記載の発明は、請求項１乃至請求項７のいずれか一項に記載の電子機器であって、電子部品が設けられている配線板が、強磁性体部材により支持されていることを特徴とする。
【００２３】
上記構成によれば、電子部品が設けられている配線板が、強磁性体部材により支持されているため、付属装置を電子機器の筐体に向けて引き寄せる構成としての強磁性体部材を、配線板の支持手段とすることができる。
【００２４】
請求項９に記載の発明は、請求項１乃至請求項８のいずれか一項に記載の電子機器であって、筐体の外部に設けられる付属装置は、筐体の内部空間に設けられた強磁性体部材に対して磁気的な引力を発生させるための磁石を備えていることを特徴とする。
【００２５】
上記構成によれば、電子機器の筐体の外部に設けられる付属装置は、電子機器の筐体の内部空間に設けられた強磁性体部材に対して磁気的な引力を発生させるための磁石を備えているため、筐体の強磁性体部材と付属装置の磁石との一対が、筐体の表面上に付属装置を取り付けるための取付手段として構成される。
【００２６】
請求項１０に記載の発明は、請求項９に記載の電子機器であって、付属装置は上記磁石として永久磁石を備えていることを特徴とする。
上記構成によれば、付属装置は筐体に向けて引き寄せられる磁気的な引力を発生させるための磁石として永久磁石を備えているため、付属装置が上記磁石として電磁石を備える場合に比べて、筐体に向けて引き寄せられる磁力を容易に発生させることができる。
【００２７】
請求項１１に記載の発明は、請求項１０に記載の電子機器であって、付属装置は、該付属装置の内部空間と外部空間とを区切る筐体を備え、永久磁石は、付属装置の外部空間において該付属装置の筐体に設けられていることを特徴とする。
【００２８】
上記構成によれば、永久磁石は、付属装置の外部空間においてこの付属装置の筐体に設けられている。このため、永久磁石が付属装置の内部空間に設けられている場合に比べて、電子機器の内部空間に設けた強磁性体部材に対する距離が短くなる。ここで、永久磁石と強磁性体部材との間に働く磁気的な引力の大きさは、両者間の距離が短いほど大きくなることが一般的に知られている。このため、永久磁石から強磁性体部材に対して磁界が印加されることによって発生する磁気的な引力を強くすることができる。その結果、付属装置が電子機器の筐体に向けて引き寄せられる磁力を強くすることができる。
【００２９】
請求項１２に記載の発明は、請求項１０に記載の電子機器であって、付属装置は、該付属装置の内部空間と外部空間とを区切る筐体を備え、永久磁石は、付属装置の内部空間に設けられていることを特徴とする。
【００３０】
上記構成によれば、永久磁石は、付属装置の内部空間に設けられている。即ち、付属装置の筐体に永久磁石が収納されている。このため、付属装置の筐体により永久磁石が保護される。
【００３１】
請求項１３に記載の発明は、請求項１２に記載の電子機器であって、付属装置の筐体は、非磁気遮蔽材料からなることを特徴とする。
上記構成によれば、付属装置の筐体は、非磁気遮蔽材料、即ち磁気を遮蔽しない材料からなるため、付属装置の筐体が磁気遮蔽材料からなる場合に比べて、付属装置の内部空間に設けられた永久磁石から発生する磁界が付属装置の筐体によって遮蔽されない。即ち、電子機器の筐体の内部空間に設けられた強磁性体部材との間の磁気的な引力が付属装置の筐体の材質によって減衰しない。よって、付属装置の内部空間に設けられた永久磁石と、電子機器の筐体の内部空間に設けられた強磁性体部材との間に発生する磁気的な引力を弱めないようにすることができる。
【発明の効果】
【００３２】
本発明によれば、樹脂により形成された電気的絶縁性を有する筐体に対して付属装置の配置の自由度を向上させることができ、筐体の表面上に付属装置を取り付ける際の利便性を向上させることができる。
【図面の簡単な説明】
【００３３】
【図１】本発明の実施形態に係る電子機器の外観を示す斜視図。
【図２】同実施形態に係る電子機器の外観を示す斜視図。
【図３】同実施形態に係る電子機器の内部構造を示す断面図であって、（ａ）図１のＡ−Ａ断面図、（ｂ）図１のＢ−Ｂ断面図。
【図４】同実施形態に係る電子機器の構成を示す分解斜視図。
【図５】（ａ）同実施形態に係る付属装置を示す斜視図、（ｂ）同実施形態に係る付属装置の内部構造を示す断面図。
【図６】（ａ）（ｂ）同実施形態に係る電子機器の筐体に付属装置が設けられた状態を示す斜視図。
【発明を実施するための形態】
【００３４】
以下、本発明を具体化した一実施形態について図面を参照しながら説明する。なお、各図は、電子機器を説明する上で必要な構成のみを図示した模式図であり、その他の構成については図示及び説明を省略している。
【００３５】
また、電子機器は、机等の水平な面の上に設置される場合に限られず、室内における壁や天井に設置される場合があり、以下の説明においては、電子機器が設置される設置面側の方向を、上下方向における下方とする。即ち、下記実施形態において、上下方向は鉛直方向に限られない。なお、下記実施形態において、上下方向及び前後方向及び側方は互いに直行する方向である。
【００３６】
図１に示すように、本実施形態に係る電子機器は、光を投射することにより映像を投写して表示するプロジェクタ１である。本実施形態においては、投写型映像表示装置であるプロジェクタ１は、前方に映像を投写するフロントプロジェクタである。
【００３７】
プロジェクタ１は、映像を投写するための光学部品として、投射レンズ１１、光源（不図示）、液晶パネル（不図示）等を備えている。投射レンズ１１は、筐体２の前側端部から筐体２の前方へ向けて映像の光を拡大投射する光学部品である。投射レンズ１１により映像の光が投射されることによって、スクリーンや壁等（いずれも不図示）の平面上に映像が表示される。
【００３８】
また、電子機器であるプロジェクタ１は、電子部品５（図３参照）と、電子部品５等の半導体素子が設けられるプリント配線板である配線板５１（図３参照）とを備えている。電子部品５は、例えば、映像信号を処理する半導体素子や、液晶パネルを駆動する半導体素子等である。
【００３９】
そして、プロジェクタ１は、映像を投写するための上記の光学部品及び電子部品５を収納する筐体２を備えている。筐体２とこの筐体２に収納された部品によりプロジェクタ本体１ａが構成されている。以下、プロジェクタ本体１ａを構成する筐体２について詳しく説明する。
【００４０】
図１及び図２に示すように、略直方体状の筐体２は、前方を向く前面２１と、側方を向く側面２２ａ，２２ｂと、前方に対して反対側の方向である後方を向く後面２３と、下方に対して反対側の方向である上方を向く上面２４とを有している。前面２１及び側面２２ａ，２２ｂ及び後面２３及び上面２４は、筐体２の外部に露出する表面である。
【００４１】
前面２１及び側面２２ａ，２２ｂ及び後面２３は、上面２４に対して略直角に屈曲した状態で上面２４に連続して設けられている。従って、前面２１及び側面２２ａ，２２ｂ及び後面２３は上面２４から下方に向けて延びるように設けられている。
【００４２】
また、筐体２は、電子部品や光学部品等を収納するための内部空間Ｓ１（図３参照）と、リモコン信号受光装置３が設けられる外部空間Ｓ２とを区切り、本実施形態においては、内部空間Ｓ１と外部空間Ｓ２とを区切る筐体２は、下側筐体２ａと上側筐体２ｂとによって構成されている。下側筐体２ａと上側筐体２ｂとは、図示しないビスによって固定される。
【００４３】
内部空間Ｓ１を有する筐体２の内部構造を、図３（ａ）及び（ｂ）に断面図として示す。図３（ａ）は、図１のＡ−Ａ部分の断面図であって、図３（ｂ）は、図１のＢ−Ｂ部分の断面図である。また、下側筐体２ａと上側筐体２ｂとによって構成される筐体２を分解した状態を、図４に斜視図として示す。
【００４４】
図３（ａ）及び（ｂ）に示すように、下側筐体２ａは、平板状の下壁部２５と、下壁部２５の側方端部及び前後方向端部において設けられるとともに、下壁部２５に対して略直角に屈曲した態様で連続する平板状の４つの側壁部２６とを有している。４つの側壁部２６は、下壁部２５から上方へ延びるように設けられている。これら４つの側壁部２６により、上下方向から見て四角形状の四角枠が形成されている。
【００４５】
上側筐体２ｂは、下側筐体２ａと同様に、平板状の上壁部２７と、上壁部２７の側方端部及び前後方向端部において設けられるとともに、上壁部２７に対して略直角に屈曲した態様で連続する平板状の４つの側壁部２８とを有している。４つの側壁部２８は、上壁部２７から下方へ延びるように設けられている。これら４つの側壁部２８により、上下方向から見て四角形状の四角枠が形成されている。
【００４６】
上側筐体２ｂの側壁部２８は、下側筐体２ａの側壁部２６を覆うように構成されている。即ち、図３及び図４に示すように、側壁部２８により形成される四角枠内に、四角枠を形成する４つの側壁部２６が収まるように構成されている。
【００４７】
従って、本実施形態においては、内部空間Ｓ１と外部空間Ｓ２とを区切る筐体２は、下壁部２５及び上壁部２７によって上下方向において内部空間Ｓ１と外部空間Ｓ２とを区切り、側壁部２６，２８によって上下方向に直交する方向において内部空間Ｓ１と外部空間Ｓ２とを区切るように構成されている。
【００４８】
また、本実施形態においては、上壁部２７の前方端部に設けられた側壁部２８の表面により、前面２１が構成され、上壁部２７の側方端部に設けられた２つの側壁部２８の表面により、側面２２ａ，２２ｂが構成され、上壁部２７の後方端部に設けられた側壁部２８の表面により、前面２１が構成されている。なお、上面２４は上壁部２７の表面により構成されている。
【００４９】
また、筐体２には、開口部が適宜設けられている。例えば、図１に示すように、筐体２の前面２１を形成する側壁部２６，２８には、投射レンズ１１から映像の光を投射するための開口部２９が設けられている。この開口部２９以外にも、筐体２には、プロジェクタ１の操作者によって操作されるボタン等が設けられるための開口部（不図示）、吸気口や排気口を構成する開口部（不図示）、筐体２に収納された電子部品に対して映像信号を入力する端子が設けられるための開口部（不図示）等が設けられている。
【００５０】
なお、筐体２の内部空間Ｓ１と外部空間Ｓ２との境界は筐体２自体が境界を構成するが、筐体２に開口部が設けられた場合のその開口部における内部空間Ｓ１と外部空間Ｓ２との境界は、開口部を平面により塞いだ場合におけるその平面を境界とする。
【００５１】
以上のように構成された筐体２は、樹脂により形成されており、電気的絶縁性を有している。即ち、下側筐体２ａ及び上側筐体２ｂは、例えば、ＰＣ（ポリカーボネート）やＡＢＳ（アクリルニトリルブタジエンスチレン）等の樹脂材料からなる。
【００５２】
このような樹脂により形成された電気的絶縁性を有する下側筐体２ａ及び上側筐体２ｂによれば、下側筐体２ａ及び上側筐体２ｂが電気的伝導性を有する場合に比べて、プロジェクタ１の操作者が感電する可能性を低減できる等の効果が得られる。
【００５３】
なお、環境負荷を低減する観点から、筐体２にはめっきが施されていないことが好ましい。即ち、筐体２にめっきを施すことにより、プロジェクタ１の電磁的な不干渉性及び耐性を向上させることができるが、環境負荷を低減する観点から、下側筐体２ａ及び上側筐体２ｂには、めっきが施されていないことが好ましい。
【００５４】
また、プロジェクタ１は、プロジェクタ本体１ａと別体として設けられるリモコン信号受光装置３を備えている。リモコン信号受光装置３は、遠隔操作機器（不図示）から赤外線として送信されたリモコン信号を受光する付属装置である。
【００５５】
図５（ａ）に示すように、リモコン信号受光装置３は、リモコン信号受光装置３の内部空間Ｓ３（図５（ｂ）参照）と外部空間Ｓ４とを区切る筐体３１と、筐体３１に収納された受光部３２と、プロジェクタ本体１ａとリモコン信号受光装置３とを接続するためのケーブル３３と、プロジェクタ本体１ａに接続されるコネクター３４（図６（ｂ）参照）とを備えている。
【００５６】
筐体３１の内部空間Ｓ３を示す筐体３１の構造図を、図５（ｂ）に断面図として示す。図５（ｂ）は、図５（ａ）のＣ−Ｃ部分の断面図である。
図５（ｂ）に示すように、筐体３１は、受光部３２を収納するケース３１ａと、ケース３１ａ内の空間を覆うカバー３１ｂとにより構成されている。
【００５７】
筐体３１は、例えば、非磁気遮蔽材料により形成されている。即ち、ケース３１ａ及びカバー３１ｂは、筐体２と同様に、例えば、ＰＣ（ポリカーボネート）やＡＢＳ（アクリルニトリルブタジエンスチレン）等の樹脂材料であって、磁気を遮蔽しない材料からなる。
【００５８】
受光部３２は、赤外線を受光する受光素子である。筐体２に対してリモコン信号受光装置３が設けられる箇所を変更して、リモコン信号を受光可能な受光部３２の方向を変化させることができる。
【００５９】
本実施形態においては、ケーブル３３及びコネクター３４を介して、リモコン信号受光装置３とプロジェクタ本体１ａが接続されており、受光部３２で赤外線を受光することにより受信したリモコン信号を、有線（即ち、ケーブル３３）によって電気信号としてプロジェクタ本体１ａへ送信する構成となっている。リモコン信号受光装置３からプロジェクタ本体１ａへ送信されるリモコン信号は、プロジェクタ本体１ａを構成する電子部品に入力され、プロジェクタ１は、遠隔から送信されたリモコン信号に基づき動作することが可能である。
【００６０】
また、図５（ｂ）に示すように、リモコン信号受光装置３は永久磁石６を備えている。本実施形態においては、永久磁石６はリモコン信号受光装置３の内部空間Ｓ３に設けられている。即ち、リモコン信号受光装置３に永久磁石６が内蔵されている。永久磁石６は、図５（ｂ）の磁力線Ｘで示すように磁界を発生させる。
【００６１】
以上のように、本実施形態に係るプロジェクタ１は、樹脂により形成された電気的絶縁性を有する筐体２を備えており、この筐体２の外部にリモコン信号受光装置３が設けられる構成となっている。
【００６２】
ここで、本実施形態においては、筐体２の内部空間Ｓ１に、リモコン信号受光装置３に磁気的な引力を作用させるための強磁性体部材４が設けられている。即ち、筐体２の内部空間Ｓ１に、永久磁石６によって外部空間Ｓ２から印加される磁界を作用させるための強磁性体部材４が設けられている。この強磁性体部材４に外部空間Ｓ２から永久磁石６によって磁界が印加されると、強磁性体部材４と永久磁石６との間に磁気的な引力が生じる。その結果、外部空間Ｓ２におけるリモコン信号受光装置３が筐体２に向けて引き寄せられ、筐体２の表面上にリモコン信号受光装置３が設けられることに特徴がある。強磁性体部材４と筐体２は図示しないビスによって固定されている。以下、本実施形態に係る強磁性体部材４の具体的構成について説明する。
【００６３】
本実施形態においては、強磁性体部材４は、下側強磁性体部材４ａと上側強磁性体部材４ｂとによって構成されている。下側強磁性体部材４ａと上側強磁性体部材４ｂとは、図示しないビスによって固定される。これら下側強磁性体部材４ａ及び上側強磁性体部材４ｂによって、筐体２の内部空間Ｓ１において筐体２の表面（即ち、内面）を覆うように構成されている。
【００６４】
強磁性体部材４は、強磁性体により形成されている。即ち、下側強磁性体部材４ａ及び上側強磁性体部材４ｂは、鉄等の強磁性体材料からなる。なお、強磁性体部材４を形成する強磁性体材料としては、製造コスト及び入手容易性及び加工容易性の観点から、鉄にスズをめっきしたブリキや、ステンレス等を好適に用いることができる。
【００６５】
図３（ａ）及び（ｂ）に示すように、下側強磁性体部材４ａは、平板状の下壁部４１と、下壁部４１の側方端部及び前後方向端部において設けられるとともに、下壁部４１に対して略直角に屈曲した態様で連続する平板状の４つの側壁部４２とを有している。４つの側壁部４２は、下壁部４１から上方へ延びるように設けられている。これら４つの側壁部４２により、上下方向から見て四角形状の四角枠が形成されている。
【００６６】
上側強磁性体部材４ｂは、下側強磁性体部材４ａと同様に、平板状の上壁部４４と、上壁部４４の側方端部及び前後方向端部において設けられるとともに、上壁部４４に対して略直角に屈曲した態様で連続する平板状の４つの側壁部４５とを有している。４つの側壁部４５は、上壁部４４から下方へ延びるように設けられている。これら４つの側壁部４５により、上下方向から見て四角形状の四角枠が形成されている。
【００６７】
上側強磁性体部材４ｂの側壁部４５は、下側強磁性体部材４ａの側壁部４２の上側端部を覆うように構成されている。即ち、側壁部４５が側方及び前後方向から側壁部４２を覆うことにより、側方及び前後方向において、下側強磁性体部材４ａに対する上側強磁性体部材４ｂの移動が規制される構成となっている。
【００６８】
本実施形態においては、下側強磁性体部材４ａ及び上側強磁性体部材４ｂにより構成される強磁性体部材４は箱体として構成されている。即ち、強磁性体部材４は、電子部品及び光学部品を収納する空間Ｓ５を有しており、本実施形態においては、この空間Ｓ５は下壁部４１及び側壁部４２及び上壁部４４によって形成されている。
【００６９】
なお、強磁性体部材４には、筐体２と同様に、開口部が適宜設けられている。例えば、図３（ｂ）に示すように、側壁部４２には、投射レンズ１１を設けるための開口部４６が設けられている。この開口部４６以外にも、強磁性体部材４には、電子部品５とコネクター３４とを接続するための開口部（不図示）等が設けられている。
【００７０】
そして、筐体２の内部空間Ｓ１に設けられた強磁性体部材４と、リモコン信号受光装置３に設けられた永久磁石６とが一対となって、磁気的固定手段が構成される。強磁性体部材４と永久磁石６とが磁気的固定手段を構成するためには、永久磁石６が発生する磁界により、強磁性体部材４と永久磁石６を備えるリモコン信号受光装置３とに、互いに引き合う磁気的な引力（即ち、引き合う磁力）が発生すればよい。
【００７１】
このような磁気的固定手段によって、互いに引き合う磁力が発生する強磁性体部材４とリモコン信号受光装置３との間に、筐体２が挟まれて、重力程度の力がリモコン信号受光装置３に作用してもリモコン信号受光装置３が動かないように、筐体２の表面上にリモコン信号受光装置３が取り付けられる。
【００７２】
なお、上述のごとく、リモコン信号受光装置３の筐体３１は非磁気遮蔽材料であるため、筐体３１が磁気遮蔽材料により形成されている場合に比べて、筐体３１内の永久磁石６が筐体３１の外部に発生させる磁界を弱めないようにすることができる。従って、余分に強い磁界を発生させるために、コストの高い強い磁界が発生する磁石を設けなくてもよい。
【００７３】
本実施形態においては、図６（ａ）及び（ｂ）の二点鎖線で示すように、前面２１及び側面２２ａ，２２ｂ及び後面２３及び上面２４のいずれの筐体２の表面上にも、リモコン信号受光装置３が設けられるように構成されている。前面２１または後面２３上にリモコン信号受光装置３を設けることにより、上下方向及び側方を含む方向である、前後方向に直交する方向へ受光部３２を向けることができる。また、側面２２ａ，２２ｂ上にリモコン信号受光装置３を設けることにより、上下方向及び前後方向を含む方向である、側方に直交する方向へ受光部３２を向けることができる。また、上面２４上にリモコン信号受光装置３を設けることにより、前後方向及び側方を含む方向である、上下方向に直交する方向へ受光部３２を向けることができる。
【００７４】
このように受光部３２を向ける方向が変化可能であれば、例えばプロジェクタ１が赤外線ノイズを発生させる赤外線ノイズ源の近傍に設けられた場合は、赤外線ノイズ源からの赤外線を受光しない方向へ受光部３２を向けることによって、赤外線ノイズの影響を受けないようにすることができる。
【００７５】
また、本実施形態においては、箱体である強磁性体部材４は、筐体２の内部空間Ｓ１において、その全体が筐体２により覆われている。即ち、上側筐体２ｂと下側筐体２ａで囲まれた空間に、下側強磁性体部材４ａ及び上側強磁性体部材４ｂが設けられており、強磁性体部材４が可能な限り露出しないように構成されている。
【００７６】
また、強磁性体部材４は、感電の可能性を低減するとの観点から接地されている。即ち、強磁性体部材４は、例えば、プロジェクタ１の保護接地導体部や、ビデオ端子やオーディオ端子のグランド部（不図示）と電気的に接続されている。
【００７７】
また、本実施形態においては、電子部品５と筐体２との間（即ち、配線板５１と筐体２との間）の空間を区切るように強磁性体部材４が設けられている。より具体的には、筐体２の内部空間Ｓ１において配線板５１及び電子部品５が強磁性体部材４に収納されることによって、電子部品５と筐体２との間の空間が区切られている。
【００７８】
このようにして、電子部品５及び配線板５１から発生する電磁ノイズがプロジェクタ１の筐体２の外部へ放射すること、及びプロジェクタ１の筐体２の外部から内部へと電磁ノイズが入射することの双方を抑制している。即ち、強磁性体部材４が電磁シールドとして機能し、ＥＭＣ（Electro Magnetic Compatibility）性能を向上させている。
【００７９】
また、強磁性体部材４が設けられていないときに、プロジェクタ１の筐体２に、スイッチが設けられる開口部が設けられている場合には、このような開口部を介して、帯電した操作者の指と筐体２内の配線板５１との間において、静電気の放電が発生し得る。このような静電気の放電は、プロジェクタ１の動作に影響を与えるため好ましくない。本発明によれば、帯電した操作者の指と強磁性体部材４との間の方が、配線板５１との間よりも距離が短いため、操作者の指と強磁性体部材４との間において、静電気の放電が発生するため、配線板５１への静電気の侵入を抑制できる。即ち、強磁性体部材４が静電シールドとしても機能する。
【００８０】
また、本実施形態においては、配線板５１は電源回路基板であり、配線板５１は筐体２の内部空間Ｓ１に収納された電源部を構成している。そして、上述のごとく、電源部である配線板５１と筐体２との間の空間を区切るように強磁性体部材４が設けられている。より具体的には、筐体２の内部空間Ｓ１において電源ユニットを含む配線板５１が強磁性体部材４に収納されることによって、電源部である配線板５１と筐体２との間の空間が区切られている。
【００８１】
このようにして、強磁性体部材４が防火壁として機能する。即ち、強磁性体部材４を構成する鉄等の強磁性体材料は、融点が高く、難燃性に優れ、機械的強度が高いため、配線板５１についての防火対策の信頼性を向上させている。
【００８２】
また、本実施形態においては、側壁部４２には、配線板５１を支持する支持部４３が設けられている。支持部４３は側壁部４２に形成されており、側壁部４２から配線板５１が設けられる空間Ｓ５に向けて突出するように設けられている。即ち、電子部品５が設けられた配線板５１が、強磁性体部材４により支持されており、配線板５１は、ビス等の固定部材（不図示）を用いて支持部４３に対して固定されている。
【００８３】
なお、配線板５１の、配線板５１をビス等の金属部材で固定する部分には、グランド層が露出するように設けられていることが好ましい。このような構成によれば、ビスによる配線板５１の固定とともに、筐体２のグランド電位に配線板５１のグランド層を接触させることにより、グランド電位を安定化させるとともに電磁シールドの効果を向上させることができる。
【００８４】
本実施形態によれば、以下の作用効果を得ることができる。
（１）筐体２は、電子部品５を収納するための内部空間Ｓ１と、リモコン信号受光装置３が設けられる外部空間Ｓ２とを区切る。そして、筐体２の内部空間Ｓ１には、リモコン信号受光装置３に磁気的な引力を作用させるための強磁性体からなる強磁性体部材４が設けられており、内部空間Ｓ１に設けられた強磁性体部材４により、外部空間Ｓ２におけるリモコン信号受光装置３が筐体２に向けて引き寄せられ、筐体２の表面上にリモコン信号受光装置３が設けられる。即ち、プロジェクタ１が備える筐体２内の強磁性体部材４と、磁界を発生させる部材である永久磁石６を備えたリモコン信号受光装置３との間に磁気的な引力が作用して、筐体２の表面上にリモコン信号受光装置３が取り付けられる。このため、強磁性体部材４によりリモコン信号受光装置３を筐体２に向けて引き寄せる磁力が作用するのであれば、筐体２の所望の位置にリモコン信号受光装置３を設けることができる。従って、樹脂により形成された電気的絶縁性を有する筐体２に対してリモコン信号受光装置３の配置の自由度を向上させることができる。また、筐体２の表面上にリモコン信号受光装置３を取り付けるための手段として、リモコン信号受光装置３を支持する突起等の支持構造（不図示）を設ける必要がなく、筐体２の表面上にリモコン信号受光装置３を容易に取り付けることができる。従って、筐体２の表面上にリモコン信号受光装置３を取り付ける際の利便性を向上させることができる。
【００８５】
（２）筐体２の内部空間Ｓ１において、強磁性体部材４の全体が筐体２により覆われている。このため、強磁性体部材４の一部がプロジェクタ１の筐体２によって覆われていない場合に比べて、プロジェクタ１の操作者が感電することを抑制することができる。
【００８６】
（３）プロジェクタ１は、筐体２の内部空間Ｓ１に収納された電子部品５を備え、電子部品５と筐体２との間の空間を区切るように強磁性体部材４が設けられている。このため、強磁性体部材４によって、プロジェクタ１の電磁的な不干渉性及び耐性を向上させることができる。即ち、電子部品５から筐体２の外部空間Ｓ２への電磁的影響を低減するとともに、筐体２の外部空間Ｓ２から電子部品５への電磁的影響を低減することができる。
【００８７】
（４）筐体２の内部空間Ｓ１において電子部品５が強磁性体部材４に収納されることによって、電子部品５と筐体２との間の空間が区切られている。このため、強磁性体部材４によって、プロジェクタ１の電磁的な不干渉性及び耐性を確実に向上させることができる。
【００８８】
（５）プロジェクタ１は、筐体２の内部空間Ｓ１に収納された電源部としての電源回路基板である配線板５１を備え、配線板５１と筐体２との間の空間を区切るように強磁性体部材４が設けられている。このため、強磁性体部材４によって、配線板５１についての防火対策の信頼性を向上させることができる。
【００８９】
（６）筐体２の内部空間Ｓ１において配線板５１が強磁性体部材４に収納されることによって、配線板５１と筐体２との間の空間が区切られている。このため、強磁性体部材４によって、配線板５１についての防火対策の信頼性をより向上させることができる。
【００９０】
（７）電子部品５が設けられている配線板５１が、強磁性体部材４により支持されている。このため、リモコン信号受光装置３をプロジェクタ１の筐体２に向けて引き寄せる構成としての強磁性体部材４を、配線板５１の支持手段とすることができる。
【００９１】
（８）筐体２の外部に設けられるリモコン信号受光装置３は、筐体２の内部空間Ｓ１に設けられた強磁性体部材４に対して磁気的な引力を発生させるための永久磁石６を備えている。このため、筐体２の強磁性体部材４とリモコン信号受光装置３の永久磁石６との一対が、筐体２の表面上にリモコン信号受光装置３を取り付けるための取付手段として構成される。
【００９２】
（９）リモコン信号受光装置３は、筐体２に向けて引き寄せられる磁気的な引力を発生させるための磁石として永久磁石６を備えている。このため、リモコン信号受光装置３が上記磁石として電磁石（不図示）を備える場合に比べて、筐体２に向けて引き寄せられる磁力を容易に発生させることができる。
【００９３】
（１０）リモコン信号受光装置３は、リモコン信号受光装置３の内部空間Ｓ３と外部空間Ｓ４とを区切る筐体３１を備え、永久磁石６は、リモコン信号受光装置３の内部空間Ｓ３に設けられている。即ち、リモコン信号受光装置３の筐体３１に永久磁石６が収納されている。このため、リモコン信号受光装置３の筐体３１により永久磁石６が保護される。また、リモコン信号受光装置３の筐体３１に永久磁石６が収納されていない場合に比べて、リモコン信号受光装置３の美観性を向上させることができる。
【００９４】
（１１）リモコン信号受光装置３の筐体３１は、非磁気遮蔽材料（即ち、磁気を遮蔽しない材料）からなる。このため、リモコン信号受光装置３の筐体３１が磁気遮蔽材料からなる場合に比べて、リモコン信号受光装置３の内部空間Ｓ３に設けられた永久磁石６が筐体２に対して印加する磁界が筐体３１により減衰しないので、リモコン信号受光装置３が筐体２に向けて引き寄せられる磁力を効率よく発生させることができる。
【００９５】
（１２）リモコン信号受光装置３が設けられることが可能な筐体２の表面は、前面２１及び側面２２ａ，２２ｂ及び後面２３及び上面２４である。即ち、筐体２が有する複数の表面であって、互いに直行する方向を向く４つの表面上にリモコン信号受光装置３が設けられることが可能である。このため、前面２１上のみ、または、側面２２ａ，２２ｂ上のみ、または、後面２３上のみ、または、上面２４上のみにリモコン信号受光装置３が設けられる場合に比べ、筐体２の表面上におけるリモコン信号受光装置３の磁気的固定手段による配置の自由度を向上させることができる。
【００９６】
（１３）前面２１の全体において、磁力によって前面２１上にリモコン信号受光装置３が設けられることが可能である。このため、前面２１の一部において、前面２１上にリモコン信号受光装置３が設けられる場合に比べ、筐体２の表面上におけるリモコン信号受光装置３の磁気的固定手段による配置の自由度を向上させることができる。同様に、側面２２ａ，２２ｂ及び後面２３及び上面２４についても、それらの表面の全体において、側面２２ａ，２２ｂ及び後面２３及び上面２４上にリモコン信号受光装置３が設けられることが可能であるため、筐体２の表面上におけるリモコン信号受光装置３の配置の自由度を向上させることができる。
【００９７】
（１４）強磁性体部材４を、電気的絶縁性を有する樹脂等の材料で形成された筐体２で覆うように構成した構造は、強磁性体部材４が磁気的固定手段として機能するだけでなく、感電抑制手段、電磁シールド、静電シールド、防火壁、及び配線板支持構造としても機能するため、プロジェクタ１の部品点数削減、製造コスト削減、軽量化、組立工数削減、小型化等を図ることができる。
【００９８】
（１５）上述のごとく、リモコン信号受光装置３を支持する突起等の支持構造（不図示）を設ける必要がなくなるため、外部から見たプロジェクタ本体１ａの美観性を向上させることができる。
【００９９】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【０１００】
・強磁性体部材４の全体が、筐体２の内部空間Ｓ１において筐体２により覆われることによって、その内部空間Ｓ１に設けられた強磁性体部材４が、筐体２の外部空間Ｓ２から見て露出せずに設けられているように構成することが好ましい。即ち、筐体２の外部から強磁性体部材４を視認することができないように強磁性体部材４が設けられていることが好ましい。このような構成によれば、例えば、何らかの理由で機器内部への浸水等の不慮の事態が生じ、絶縁が一時的あるいは部分的に不完全となった場合においても、プロジェクタ１の操作者を感電から確実に保護することができる。
【０１０１】
・永久磁石６は、リモコン信号受光装置３の外部空間Ｓ４においてリモコン信号受光装置３の筐体３１に設けられていてもよい。このような構成によれば、永久磁石６がリモコン信号受光装置３の内部空間Ｓ３に設けられている場合に比べて、永久磁石６と強磁性体部材４との間の距離を短くできるので、永久磁石６と強磁性体部材４との間の互いに引き合う磁力を強くすることができる。
【０１０２】
・前面２１及び側面２２ａ，２２ｂ及び後面２３及び上面２４について、それらの表面の一部において、磁力によってリモコン信号受光装置３が設けられるように構成してもよい。即ち、前面２１及び側面２２ａ，２２ｂ及び後面２３及び上面２４の全体において、それらの表面上にリモコン信号受光装置３が設けられる構成でなくてもよい。
【０１０３】
・前面２１及び側面２２ａ，２２ｂ及び後面２３及び上面２４の全ての表面に、リモコン信号受光装置３が設けられることが可能でなくてもよい。即ち、前面２１及び側面２２ａ，２２ｂ及び後面２３及び上面２４の少なくとも１つの表面に、リモコン信号受光装置３が設けられることが可能であればよい。
【０１０４】
なお、前後方向及び上下方向及び側方のいずれの方向へも受光部３２を向けることができるようにするとの観点から、上面２４にリモコン信号受光装置３が設けられることが可能で、かつ、前面２１及び側面２２ａ，２２ｂ及び後面２３の少なくとも１つの表面にリモコン信号受光装置３が設けられることが可能であることが好ましい。同様の観点から、前面２１及び後面２３の少なくとも１つの表面にリモコン信号受光装置３が設けられることが可能で、かつ、側面２２ａ，２２ｂ及び上面２４の少なくとも１つの表面にリモコン信号受光装置３が設けられることが可能であることが好ましい。また、同様の観点から、側面２２ａ，２２ｂの少なくとも１つの表面にリモコン信号受光装置３が設けられることが可能で、かつ、前面２１及び後面２３及び上面２４の少なくとも１つの表面にリモコン信号受光装置３が設けられることが可能であることが好ましい。
【０１０５】
・配線板５１が、下側強磁性体部材４ａに固定されて支持されていなくてもよい。即ち、強磁性体部材４により支持される配線板５１が、上側強磁性体部材４ｂに固定されて支持されていてもよい。
【０１０６】
・強磁性体部材４により配線板５１以外の配線板が支持されていてもよい。即ち、強磁性体部材４により支持される配線板は２つ以上であってもよく、具体的には、強磁性体部材４により、配線板５１だけでなく、制御ユニットを含むその他の配線板（不図示）が支持されていてもよい。
【０１０７】
・強磁性体部材４が、プロジェクタ本体１ａの機械的構造を維持するための骨格を兼ねていてもよい。
・強磁性体部材４を構成する部材は、下側強磁性体部材４ａ及び上側強磁性体部材４ｂに限られず、これら以外の複数の強磁性体部材（不図示）により強磁性体部材４が構成されていてもよい。
【０１０８】
・筐体２を構成する部材は、下側筐体２ａ及び上側筐体２ｂに限られず、これら以外の部材により筐体２が構成されていてもよい。
・筐体２の全てが樹脂により形成されていなくてもよい。例えば、下側筐体２ａが、アルミニウムや銅等の非強磁性体である金属材料からなる構成としてもよい。
【０１０９】
・強磁性体部材４が、感電抑制手段、電磁シールド、静電シールド、防火壁、または配線板支持構造として機能しなくてもよい。即ち、強磁性体部材４が、少なくとも磁気的固定手段として機能すれば、上記（１）に記載の効果を得ることができる。
【０１１０】
・強磁性体部材４とリモコン信号受光装置３とに、互いに引き合う磁力が発生するのであれば磁気的固定手段を適宜変更してもよい。例えば、リモコン信号受光装置３が、筐体２に向けて引き寄せられる磁力が作用する磁石として電磁石（不図示）を備える構成としてもよい。また、強磁性体部材４に着磁して永久磁石として構成してもよい。
【０１１１】
・筐体２の表面上に設けられる付属装置は、リモコン信号受光装置３以外の装置であってもよい。例えば、筐体２の表面上に設けられる付属装置は、プロジェクタ１の制御等を目的として外部機器（不図示）から電波として送信された信号を受信するアンテナ装置（不図示）であってもよい。即ち、筐体２の表面上に設けられる装置は、プロジェクタ１の動作に関連する装置であれば、どのような装置であってもよい。
【０１１２】
・リモコン信号受光装置３は、ケーブル３３及びコネクター３４を介さずに、プロジェクタ本体１ａと接続されていてもよい。即ち、受光部３２で赤外線を受光することにより受信したリモコン信号を、無線によってプロジェクタ本体１ａへ送信する構成としてもよい。
【０１１３】
・上記構成をプロジェクタ１以外の電子機器に適用することもできる。即ち、テレビ受信機やオーディオ機器等のその他の電子機器についても上記実施形態に準じた態様をもって本発明を適用することはできる。その場合にも上記実施形態に準じた作用効果を奏することができる。
【符号の説明】
【０１１４】
１…プロジェクタ（電子機器）、１ａ…プロジェクタ本体（電子機器本体）、２…筐体、２ａ…下側筐体、２ｂ…上側筐体、３…リモコン信号受光装置（付属装置）、４…強磁性体部材、４ａ…下側強磁性体部材、４ｂ…上側強磁性体部材、５…電子部品、６…永久磁石、１１…投射レンズ、２１…前面、２２ａ，２２ｂ…側面、２３…後面、２４…上面、２５…下壁部、２６…側壁部、２７…上壁部、２８…側壁部、２９…開口部、３１…筐体、３１ａ…ケース、３１ｂ…カバー、３２…受光部、３３…ケーブル、３４…コネクター、４１…下壁部、４２…側壁部、４３…支持部、４４…上壁部、４５…側壁部、４６…開口部、５１…配線板（電源回路基板）、Ｓ１，Ｓ３…内部空間、Ｓ２，Ｓ４…外部空間、Ｓ５…空間。
【図１】
2011096938.tif 000003
【図２】
2011096938.tif 000004
【図３】
2011096938.tif 000005
【図４】
2011096938.tif 000006
【図５】
2011096938.tif 000007
【図６】
2011096938.tif 000008